(57)【要約】【課題】記録媒体に記録した演奏を選択的に再生する際に、この演奏検索の作業を簡略化する。【解決手段】入力される信号の信号レベルが大きな部分を検出し、入力される信号をデータとしてハードディスク装置４に記憶し、信号レベルの検出結果に基づいて、データの信号レベルの大きな部分を選択的に再生し、データの信号レベルの大きな部分を再生しているときに、所定操作が入力された場合にデータを始めから再生する。【選択図】図３
2008226441.tif 000002
【特許請求の範囲】
【請求項１】
入力される信号の信号レベルが大きな部分を検出する検出手段と、
前記入力される信号をデータとして記憶媒体に記憶する記憶手段と、
前記信号レベルの検出結果に基づいて、前記データの信号レベルの大きな部分を選択的に再生する再生手段と、
前記再生手段が前記データの信号レベルの大きな部分を再生しているときに、所定操作が入力された場合、前記再生手段に前記データを始めから再生させる制御手段と
を備える記憶再生装置。
【請求項２】
前記記憶手段は、前記信号レベルの検出結果に基づいて、前記データの信号レベルの大きな部分の記憶位置情報を、前記記憶されるデータと関連付けて前記記憶媒体に記憶する請求項１に記載の記憶再生装置。
【請求項３】
前記記憶手段は、前記データを前記記憶媒体に記憶しながら、前記記憶位置情報を前記記憶媒体に記憶する請求項２に記載の記憶再生装置。
【請求項４】
前記記憶手段は、前記信号レベルの検出結果に基づいて、前記データの信号レベルの大きな部分のデータを、前記記憶されるデータと関連付けて前記記憶媒体に記憶する請求項１に記載の記憶再生装置。
【請求項５】
前記記憶手段は、前記データを前記記憶媒体に記憶しながら、前記データの信号レベルの大きな部分のデータを前記記憶媒体に記憶する請求項４に記載の記憶再生装置。
【請求項６】
入力される信号の信号レベルが大きな部分を検出するステップと、
前記入力される信号をデータとして記憶媒体に記憶するステップと、
前記信号レベルの検出結果に基づいて、前記データの信号レベルの大きな部分を選択的に再生するステップと、
前記データの信号レベルの大きな部分を再生しているときに、所定操作が入力された場合に前記データを始めから再生するステップと
を有する記憶再生方法。
【請求項７】
更に、前記信号レベルの検出結果に基づいて、前記データの信号レベルの大きな部分の記憶位置情報を、前記記憶されるデータと関連付けて前記記憶媒体に記憶するステップを有する請求項６に記載の記憶再生方法。
【請求項８】
前記データを前記記憶媒体に記憶しながら、前記記憶位置情報を前記記憶媒体に記憶する請求項７に記載の記憶再生方法。
【請求項９】
前記信号レベルの検出結果に基づいて、前記データの信号レベルの大きな部分のデータを、前記記憶されるデータと関連付けて前記記憶媒体に記憶する請求項６に記載の記憶再生方法。
【請求項１０】
前記データを前記記憶媒体に記憶しながら、前記データの信号レベルの大きな部分のデータを前記記憶媒体に記憶する請求項９に記載の記憶再生方法。
【発明の詳細な説明】
【技術分野】
【０００１】
本発明は、オーディオ信号を記録し、又は再生する際に、信号レベルの大きな部分を選択的に再生できるようにすることにより、最も印象的な部分である盛り上がりの部分だけを選択的に再生できるようにして、演奏の検索を簡略化する記憶再生装置及び記憶再生方法に関する。
【背景技術】
【０００２】
すなわちコンパクトディスクにおいては、情報記録面を、内周側よりリードインエリア、プログラムエリア、リードアウトエリアに分割し、このプログラムエリアにオーディオデータを記録する。このときコンパクトディスクでは、このオーディオデータをコンパクトディスクについて規定されたデータ構造に変換して、記録位置、無音領域等を表すサブコードと共に記録する。
【０００３】
これに対してリードインエリアにおいては、各コンパクトディスクのボリュームデータ、収録演奏数、各演奏の記録開始位置等の管理情報（ＴＯＣのデータでなる）が記録される。
【０００４】
これによりコンパクトディスクプレイヤーにおいては、ユーザーが先頭曲からの曲番等を指定すると、この管理情報及びサブコードに基づいて、ユーザーの所望する演奏を頭出しできるようになされている。またユーザーが演奏曲名、曲番等を知らない場合は、操作子の操作に応動して、各演奏の記録開始位置を順次アクセスし、各演奏の先頭部分（いわゆるイントロでなる）を順次再生し、これにより所望の演奏を簡易に選択できるようになされている。
【０００５】
ところでイントロの部分は、一般に音量が低い特徴がある。このため従来のように、イントロの部分だけを選択的に再生しても、ユーザーにおいては、所望する演奏か否か判断することが困難な問題があった。
【０００６】
この問題を解決する１つの方法として、例えば特開平５−２９８７１８号公報に開示のように、各演奏の記録開始の部分を一定時間再生する代わりに、各演奏の記録開始位置より音量が立ち上がった部分（例えば歌い出しの部分でなる）を順次再生する方法が考えられる。
【０００７】
ところがこのようにしても、ユーザーにおいては、一般に各演奏の盛り上がった部分については、聞き覚えがあるものの、歌い出しの部分を聞いただけでは、所望する演奏か否か判断することが困難な問題がある。
【０００８】
これに対して、例えばオーディオ編集装置について、特開平７−１４１８４１号公報に開示の手法を流用することも考えられる。すなわちユーザーが予め設定したマーカーを基準にして各演奏を頭出しする方法である。ところがこの場合、ユーザーにおいては、各演奏を予め試聴していちいちマーカーを設定する必要があり、実用的ではない。
【特許文献１】特開平６−２５１５６８号公報
【発明の開示】
【発明が解決しようとする課題】
【０００９】
本発明は以上の点を考慮してなされたもので、所望する演奏を簡易に検索することができる記憶再生装置及び記憶再生方法を提案しようとするものである。
【課題を解決するための手段】
【００１０】
かかる課題を解決するため本発明は、入力される信号の信号レベルが大きな部分を検出する検出手段と、前記入力される信号をデータとして記憶媒体に記憶する記憶手段と、前記信号レベルの検出結果に基づいて、前記データの信号レベルの大きな部分を選択的に再生する再生手段と、前記再生手段が前記データの信号レベルの大きな部分を再生しているときに、所定操作が入力された場合、前記再生手段に前記データを始めから再生させる制御手段とを備える記憶再生装置である。
【００１１】
また、本発明は、入力される信号の信号レベルが大きな部分を検出するステップと、前記入力される信号をデータとして記憶媒体に記憶するステップと、前記信号レベルの検出結果に基づいて、前記データの信号レベルの大きな部分を選択的に再生するステップと、前記データの信号レベルの大きな部分を再生しているときに、所定操作が入力された場合に前記データを始めから再生するステップとを有する記憶再生方法である。
【００１２】
これらの手段により、順次入力される信号を記憶媒体に記憶することにより、この記憶媒体に複数の演奏を記録する記録装置に適用して、各演奏の信号レベルの大きな部分の記憶位置情報を記録しておけば、この記憶位置情報に基づいて、各演奏の盛り上がった部分だけを順次再生することができる。
【００１３】
また、再生装置側においては、各演奏の信号レベルの大きな部分を選択的に再生して、各演奏の盛り上がった部分だけを順次再生することができる。
【発明の効果】
【００１４】
上述のように本発明によれば、入力される信号をデータとして記憶し、又は再生する際に、信号レベルの大きな部分を選択的に再生できるようにすることにより、最も印象的な盛り上がり部分だけを選択的に再生でき、これにより演奏の検索を簡略化することができる。
【発明を実施するための最良の形態】
【００１５】
以下、適宜図面を参照しながら本発明の実施の形態を詳述する。
（１）第１の実施の形態
図２は、本発明の第１の実施の形態に係るオーディオ装置を示す略線図である。このオーディオ装置１は、リモートコマンダー２の操作に応動して、またマウス３の操作に応動して、順次入力されるオーディオ信号をハードディスク装置（ＨＤＤ）４に記録し、またこのハードディスク装置４に記録したオーディオ信号を再生してスピーカ５より出力する。このときオーディオ装置１は、表示装置６に演奏者名、アルバムタイトル、演奏曲名等の属性情報を表示する。
【００１６】
図３は、このオーディオ装置１の構成を示すブロック図である。このオーディオ装置１は、メモリ（リードオンリメモリ及びランダムアクセスメモリで形成される）８にワークエリアを確保して、中央処理ユニット９によりこのメモリ８に格納された処理手順を実行することにより、インターフェース回路（Ｉ／Ｆ）１０を介して検出されるリモートコマンダー２及びマウス３の操作に応動して、このオーディオ装置１全体の動作を中央処理ユニット９により制御する。
【００１７】
すなわち中央処理ユニット９は、例えばコンパクトディスクプレイヤー等より順次入力されるオーディオ信号をアナログディジタル変換処理してオーディオデータに変換した後、図示しないインターフェース回路を介してバスＢＵＳに入力する。中央処理ユニット９は、インターフェース回路（Ｉ／Ｆ）１１を介して、このオーディオデータをハードディスク装置４に記録する。このとき中央処理ユニット９は、コンパクトディスクプレイヤー等の再生装置より演奏者名、アルバムタイトル、演奏曲名等の属性情報を入力し、これらの属性情報に各演奏の記録開始位置、記録終了位置を付加してハードディスク装置４に記録する。
【００１８】
さらに中央処理ユニット９は、この一連の記録の処理が完了すると、後述する処理手順を実行して各演奏毎に盛り上がりの部分を検出し、この盛り上がりの部分のオーディオデータを、別途本来の演奏との対応関係を示すデータ（すなわち対応する演奏の記録開始位置情報でなる）と共に記録する。
【００１９】
さらに中央処理ユニット９は、このハードディスク装置４よりオーディオデータを読み出してバスＢＵＳよりインターフェース回路（Ｉ／Ｆ）１２に順次出力し、図示しないディジタルアナログ変換回路によりアナログ信号に変換してスピーカ５に出力する。このとき中央処理ユニット９は、表示装置６を介して属性情報を表示すると共に、ユーザーの操作に応動して、対応する演奏の盛り上がりの部分を順次再生し、またハードディスク装置４に記録された全演奏の盛り上がりの部分を順次再生する。
【００２０】
さらに中央処理ユニット９は、この盛り上がりの部分を再生している状態で、ユーザーが再生を指示すると、再生中の盛り上がりの部分に対応する演奏について、記録開始位置より全演奏を再生する。すなわちユーザーにおいては、歌い出しの部分を聞いただけでは、所望する演奏か否か判断することが困難な場合でも、各演奏の盛り上がった部分については聞き覚えがあり、所望する演奏か否か判断することができる。これによりオーディオ装置１では、簡易に所望の演奏を検索できるように形成され、使い勝手を向上できるようになされている。
【００２１】
図１は、盛り上がりの部分を検出する中央処理ユニット９の処理手順を示すフローチャートであり、中央処理ユニット９は、一連のオーディオ信号の記録が完了すると、この処理手順を各演奏毎に実行し、各演奏毎に盛り上がりの部分を検出する。さらに検出した盛り上がりの部分を再生した後、対応する演奏の記録開始位置情報と共に、別途ハードディスク装置４に記録する。
【００２２】
続いて中央処理ユニット９は、ステップＳＰ３に移り、ハードディスク装置４よりパーツ番号Ｉに対応するオーディオデータを順次読み出し（すなわち各パーツの時間をｎ秒、サンプリング周波数をｆｓとして、ｎ×ｆｓサンプルのデータでなる）、各オーディオデータの値を２乗して加算することにより、パーツ番号Ｉの部分について平均値パワーによる信号レベルＳＩを検出する。
【００２３】
続いて中央処理ユニット９は、ステップＳＰ４に移り、この検出した信号レベルＳＩが盛り上がり部分の信号レベルＳＭを越えるか否か判断し、ここで否定結果が得られると、ステップＳＰ５に移り、パーツ番号Ｉをインクリメントした後、ステップＳＰ６において、演奏の終了端の最終パーツか否か判断する。ここで否定結果が得られると中央処理ユニット９は、ステップＳＰ３に戻り、インクリメントしたパーツ番号Ｉについて信号レベルを検出する。
【００２４】
これにより中央処理ユニット９は、ステップＳＰ３−ＳＰ４−ＳＰ５−ＳＰ６−ＳＰ３の処理手順を繰り返し、順次連続するパーツについて、信号レベルを検出する。この検出処理において、盛り上がり部分の信号レベルＳＭを越えるパーツが検出されると、中央処理ユニット９は、ステップＳＰ４において肯定結果が得られることにより、ステップＳＰ７に移り、ここでこのパーツ番号を盛り上がりパーツ番号ＩＭとして登録し、また検出した信号レベルＳＩを盛り上がり部分の信号レベルＳＭとして登録する。
【００２５】
これにより中央処理ユニット９は、各演奏の先頭より順次数秒単位で信号レベルを検出して信号レベルが最も立ち上がる部分を検出し、最終パーツに至るとステップＳＰ６において肯定結果が得られることにより、ステップＳＰ８に移り、この最も信号レベルの立ち上がる部分を再生する。さらに中央処理ユニット９は、この部分のオーディオデータを対応する演奏の記録開始位置情報と共に、別途ハードディスク装置４に記録した後、この処理手順を終了する。
【００２６】
すなわち各演奏においては、一般に、最も印象の深い部分で最も盛り上がるように形成され、このように盛り上がる部分は、最も信号レベルが大きく記録されている。従って、このように最も信号レベルの大きな部分を別途記録してこの部分だけを再生できるようにすれば、その分簡易に盛り上がりの部分を再生して、所望の演奏か否か判断することができる。これによりオーディオ装置１では、簡易かつ確実に所望の演奏を検索できるようになされている。
【００２７】
以上の構成において、順次入力されるオーディオ信号は（図３）、オーディオデータに変換された後、演奏者名、アルバムタイトル、演奏曲名等の属性情報と共にハードディスク装置４に記録される。この記録が完了すると、各演奏のオーディオデータは、演奏の開始より、数秒間隔のパーツ単位で順次読み出されて、各パーツ毎に平均値パワーによる信号レベルＳＩが検出され、最も信号レベルが立ち上がるパーツ部分が検出される。これによりこの最も信号レベルが立ち上がるパーツ部分のオーディオデータが、各演奏の対応関係のデータと共に、別途ハードディスク装置４に記録される。
【００２８】
これに対してユーザーが再生の動作を指定すると、ユーザーの指定した演奏のオーディオデータが、順次ハードディスク装置４より読み出され、インターフェース回路１２を介して出力され、これによりハードディスク装置４に記録された演奏について、ユーザーの所望する演奏が再生される。
【００２９】
この際に、ユーザーが所定の操作子を操作すると、また候補の演奏を指定した後同様の操作を実行すると、各演奏のオーディオデータに代えて、別途ハードディスク装置４に記録された盛り上がり部分のオーディオデータが順次ハードディスク装置４より読み出されて再生され、これにより順次各演奏の盛り上がりの部分が再生される。
【００３０】
これによりこのハードディスク装置４に記録されたオーディオデータは、この再生された盛り上がりの部分を試聴したユーザーにより選択されると、盛り上がり部分のオーディオデータに代えてハードディスク装置４より読み出されて再生される。これによりユーザーにおいては、各演奏の最も印象的な部分でなる盛り上がりの部分を試聴して所望する演奏を選択することができる。
【００３１】
以上の構成によれば、各演奏を数秒単位の時間間隔で区切り、最も信号レベルが立ち上がる部分を最も盛り上がる部分として別途ハードディスク装置４に記録したことにより、この盛り上がる部分を再生して各演奏の最も印象的な部分を再生することができる。これにより所望する演奏を簡易かつ確実に検索することができる。
【００３２】
（２）第２の実施の形態
図４は、第２の実施の形態に係るオーディオ装置について、中央処理ユニットの盛り上がり部分検出の処理手順を示すフローチャートである。この実施の形態において、このオーディオ装置１は、中央処理ユニットの構成が図１について上述した盛り上がり部分検出の処理手順に代えて、この図４に示す盛り上がり部分検出の処理手順を実行する以外、第１の実施の形態について上述したオーディオ装置と同一の構成でなることにより、重複した説明は省略する。
【００３３】
中央処理ユニットは、オーディオ信号の記録が完了すると、各演奏毎に、この処理手順を実行し、各演奏の盛り上がり部分を検出する。すなわち中央処理ユニットは、各演奏について、ステップＳＰ１１からステップＳＰ１２に移り、ハードディスク装置４に格納したオーディオデータを信号レベルの大きな順にｍ個検出する。このとき中央処理ユニットは、検出したオーディオデータ間の時間間隔が上述したパーツの時間長以下にならないように、離散的に信号レベルの大きなオーディオデータを検出する。
【００３４】
続いて中央処理ユニットは、ステップＳＰ１３に移り、ここで検出したオーディオデータに順次カウント値が対応してなるデータ番号カウンタＰを値０にセットした後、ステップＳＰ１４に移り、ここでこのカウント値が最終データ番号値か否か判断することにより、検出した全てのオーディオデータについて、一連の処理が完了したか否か判断する。ここで否定結果が得られると、中央処理ユニットは、検出したｍ個のオーディオデータより、データ番号カウンタＰにより指定されるオーディオデータを選択し、このオーディオデータの前後、Ｑサンプルのオーディオデータを順次ハードディスク装置４より読み出す。さらに中央処理ユニットは、この読み出したオーディオデータを順次２乗して累積加算し、これによりこの前後Ｑサンプルのオーディオデータの平均値パワーを検出する。
【００３５】
ここでこの前後Ｑサンプルのオーディオデータは、全体として先のパーツの長さに対応するｎ秒間のオーディオデータで形成される。これにより中央処理ユニットは、予め検出した信号レベルの大きなオーディオデータを中心にした、一定の時間領域のオーディオデータについて、平均値パワーによる信号レベルＳＰを検出する。この信号レベルＳＰを検出すると、中央処理ユニットは、ステップＳＰ１６に移り、ここでデータ番号カウンタＰをインクリメントした後、ステップＳＰ１４に戻る。
【００３６】
これにより中央処理ユニットは、予め検出した信号レベルの大きなｍ個のオーディオデータについて、それぞれ各オーディオデータを中心にした、一定の時間領域のオーディオデータについて、平均値パワーによる信号レベルＳＰを検出する。
【００３７】
この一連の検出処理が完了すると、中央処理ユニットは、ステップＳＰ１４において、肯定結果が得られることにより、ステップＳＰ１７に移る。ここで中央処理ユニットは、検出した平均値パワーによる信号レベルＳＰより、最も信号レベルの大きな検出結果を選択する。さらに中央処理ユニットは、対応するオーディオデータより先のＱサンプル分逆上ったオーディオデータの記録位置情報を盛り上がり部分の記録位置情報に設定する。
【００３８】
続いて中央処理ユニットは、ステップＳＰ１８に移り、この盛り上がり部分の記録位置情報よりｎサンプル分のオーディオデータをハードディスク装置４より読み出して再生し、またこのオーディオデータを元のオーディオデータとの対応関係のデータと共にハードディスク装置４に別途記録した後、ステップＳＰ１９に移り、この処理手順を終了する。
【００３９】
この図４に示す処理手順によっても、第１の実施の形態と同様に所望する演奏を簡易に検索することができる。またこの検索の為の盛り上がり部分については、予め検出したｍ個のオーディオデータについてだけ平均値パワーを検出すれば良く、その分演算処理量を低減して簡易な処理により所望する演奏を検索することができる。
【００４０】
（３）他の実施の形態
なお上述の第１の実施の形態においては、各演奏をパーツに区切って順次信号レベルを検出する場合、第２の実施の形態については、予め検出した信号レベルの大きなオーディオデータを中心にして一定の時間単位で信号レベルを検出する場合について述べたが、本発明はこれに限らず、例えば基準の信号レベル以上の領域を検出して盛り上がりの部分を検出する場合等、種々の信号レベル検出手法を広く適用することができる。
【００４１】
また上述の実施の形態では、オーディオ信号の記録を完了した後、盛り上がりの部分を検出する場合について述べたが、本発明はこれに限らず、オーディオ信号を記録しながら盛り上がりの部分を検出してもよい。また記録媒体より十分なデータ転送速度でオーディオデータを読み出すことができる場合、リアリタイムで盛り上がりの部分を検出して選択的に再生してもよい。
【００４２】
さらに上述の実施の形態では、盛り上がりの部分を別途ハードディスク装置に記録する場合について述べたが、本発明はこれに限らず、盛り上がりの部分を別途記録する代わりに、盛り上がりの部分の記録位置情報を記録に残し、この記録位置情報に基づいて盛り上がりの部分を順次再生してもよい。
【００４３】
また上述の実施の形態では、ハードディスク装置にオーディオデータを記録する場合について述べたが、本発明はこれに限らず、コンパクトディスク、ミニディスク等の種々の媒体に記録されたオーディオデータを再生する場合に、内蔵のメモリ、オーディオデータを記録した記録媒体等に、予めこの種の盛り上がりの部分を記録しておき、この記録した内容に従って再生することもできる。さらにこれに代えて例えばこの種のオーディオソフトを提供する記録装置側でこの種の処理を実行してもよい。
【図面の簡単な説明】
【００４４】
【図１】本発明の実施の形態に係るオーディオ装置における中央処理ユニットの処理手順を示すフローチャートである。
【図２】図１のオーディオ装置の概略構成を示す斜視図である。
【図３】図１のオーディオ装置の全体構成を示すブロック図である。
【図４】第２の実施の形態に係るオーディオ装置における中央処理ユニットの処理手順を示すフローチャートである。
【符号の説明】
【００４５】
１ オーディオ装置
４ ハードディスク装置
９ 中央処理ユニット
１０、１１、１２ インターフェース回路
【図１】
2008226441.tif 000003
【図２】
2008226441.tif 000004
【図３】
2008226441.tif 000005
【図４】
2008226441.tif 000006